(57)【要約】      （修正有）【課題】過度の吸い込みや薬剤漏えいの危険性がなく、維持費用の少ない消臭、消煙方法に供する消臭、消煙装置を提供する。【解決手段】水を入れる容器と、該容器に入れられた水に浸漬されることとなる、遠赤外線を放射するセラミック、炭素、磁石から選択される物質を含む浸漬用物体と、該水を曝気する曝気手段とを含む。【選択図】図１
0003153954.tif 000002
【実用新案登録請求の範囲】
【請求項１】
上部が開口した容器と、
該容器に入れられた水に浸漬されることとなる、遠赤外線を放射するセラミック、炭素、磁石から選択される物質を含む浸漬用物体と、
該水を曝気する曝気手段とを含んでなる消臭、消煙装置。
【請求項２】
前記曝気手段が、先端で開口した空気輸送用パイプと、該パイプの元端から該パイプに空気を送り込む空気ポンプとを含んでなる請求項１に記載の消臭、消煙装置。
【請求項３】
前記パイプの先端に多孔の散気体が取り付けられた請求項２に記載の消臭、消煙装置。
【請求項４】
前記容器が開口を覆う網目状の覆い付きである請求項１から３のいずれかに記載の消臭、消煙装置。
【請求項５】
前記浸漬用物体が角閃石である請求項１から４のいずれかに記載の消臭、消煙装置。
【考案の詳細な説明】
【技術分野】
【０００１】
本考案は、消臭、消煙のために用いられる消臭、消煙装置に関する。
【背景技術】
【０００２】
消臭方法としては対象物に消臭機能を有する薬剤を噴霧するのが一般的である(例えば、特許文献１参照)。しかし、薬剤は使用者が過度に吸い込むおそれが皆無とはいえず、あるいは室内に漏えいするケースもないとはいえず、幼児などのアプローチに細心の注意が必要である。
【０００３】
また、空気中の塵埃成分を捕捉するエアーフィルターと、このエアーフィルターを通過した空気中に含まれる臭い成分を酸化分解する接地電極および放電電極から成るプラズマ脱臭装置とを備えた空気清浄機が開示されている(例えば、特許文献２参照)が高電圧による電磁波障害の対策を要す場合もあることが懸念され、さらにフィルタ交換などの維持費用が発生する。
【先行技術文献】
【特許文献】
【０００４】
［特許文献１］特開２００９−２８０７１号公報
［特許文献２］特開２００２−２７３１３３号公報
【考案の概要】
【考案が解決しようとする課題】
【０００５】
本考案は、過度の吸い込みや薬剤漏えいの危険性がなく、維持費用の少ない消臭、消煙方法に供する消臭、消煙装置を提供することを目的とする。
【課題を解決するための手段】
【０００６】
本考案の要旨とするところは、
上部が開口した容器と、
該容器に入れられた水に浸漬されることとなる、遠赤外線を放射するセラミック、炭素、磁石から選択される物質を含む浸漬用物体と、
該水を曝気する曝気手段とを含んでなる消臭、消煙装置であることにある。
【０００７】
前記曝気手段は、先端で開口した空気輸送用パイプと、該パイプの元端から該パイプに空気を送り込む空気ポンプとを含んでなり得る。
【０００８】
前記パイプの先端には多孔の散気体が取り付けられ得る。
【０００９】
前記容器は、開口を覆う網目状の覆い付きであり得る。
【００１０】
前記浸漬用物体は角閃石であり得る。
【考案の効果】
【００１１】
本考案によると、過度の吸い込みや薬剤漏えいの危険性がなく、維持費用の少ない消臭、消煙方法に供する消臭、消煙装置が提供される。
【図面の簡単な説明】
【００１２】
【図１】本考案の消臭、消煙装置を用いた消臭、消煙方法の態様の一例を示す説明図である。
【図２】本考案の他の態様の消臭、消煙装置を用いた消臭、消煙方法を示す説明図である。
【図３】本考案のさらに他の態様の消臭、消煙装置を用いた消臭、消煙方法を示す説明図である。
【図４】本考案のまたさらに他の態様の消臭、消煙装置を用いた消臭、消煙方法を示す断面説明図である。
【考案を実施するための形態】
【００１３】
「滝の近くは臭いがなくてリラックスできる」といわれている。滝は水が高所から落下し、滝壺の水面や岩に衝突してできる水泡がはじけて、微細水分子や帯電水分子を放出し、これら水分子が臭い分子を吸着すると考えられている。このような滝の水は水質の汚れのない、民家の少ない山奥などの天然水であり、水分子の集合体であるクラスターが非常に小さい水でなければならないといわれている。現在の水道水は様々な物質が溶け込み、これら物質を取り込むように水分子の集合体（クラスター）が非常に大きく、水泡を作って破裂させても微細水分子や帯電水分子が放出しにくく、大きな脱臭効果を得ることができない。
【００１４】
そこで、本願考案者らは滝の周辺大気環境をつくり脱臭効果を得ようと考え、水道水のクラスターを壊すために遠赤外線を放出する物質を水道水に入れて曝気で水泡を発生させるとより大きな水泡が発生することを見出した。
【００１５】
大きな水泡は被膜が薄く、破裂したときには微細水分子等がより遠くまで達し、滝同様に広範囲の脱臭効果が望める。
【００１６】
さらに、激しく水泡を発生させて水面で破裂させれば効果は増大する。このためには水中から水面方向に上昇する水流を対流により発生させることは有効である。
【００１７】
かかる現象を実現するために、本考案においては、図１に示すように、上部が開口した容器２に水４を入れて、水４の中に浸漬用物体６を入れ、水４を曝気手段８で曝気する。浸漬用物体６は容器２中に設けられた目皿７に載置されている。水４は水面９が消臭、消煙対象域に露出している。消臭、消煙対象域とは室内空間などの消臭、消煙すべき空間をいう。浸漬用物体６は、遠赤外線を放射するセラミック、炭素から選択される物質を含んでなる。浸漬用物体６は塊状であってもよい。あるいは粉体状であってもよい。遠赤外線を放射するセラミックや炭素は室温など所定の温度状態で遠赤外線を放射する物質である。
【００１８】
曝気手段８は空気を放出する微細な放出孔を１個以上有する散気体１２を先端に備えるパイプ１４とパイプ１４に空気を送り込むエアポンプ１６から構成されている。散気体１２は、連通孔を有する多孔質のセラミック体、多孔管、あるいは、繊維集合体などにより構成されるものであってよい。
【００１９】
図１に示す態様にあっては、曝気により、容器２の周辺の消臭、消煙対象域に霧状の水が噴霧状態で拡散する。霧状の水は浸漬用物体６に接したのち曝気により泡状態となり、水中を上昇した泡が水面で破裂して水が霧状となって消臭、消煙対象域に拡散する。この拡散した霧状の水により消臭、消煙対象域が消臭、消煙される。
【００２０】
図２に本考案の実施の他の一例を示す。図２の態様においては図１の目皿７に代えてメッシュ状の壁を有する小部屋１３を容器２の中に設け、小部屋１３に浸漬用物体６を収納する。小部屋１３の中央部には上下に貫通する空間部１５が形成されており、曝気にともなう水の上昇と対流が円滑になされる。
【００２１】
このような実施がなされる本考案の消臭、消煙装置は、水を入れる、上部が開口した容器２と、遠赤外線を放射するセラミック、炭素から選択される物質を含み、容器２中の水４に投入されることとなる浸漬用物体６と、水４を曝気する曝気手段８とを含んで構成される。
【００２２】
本考案に用いられる遠赤外線を放射するセラミックとしては、アルミナ（Ａｌ2 Ｏ3 ）系、マグネシア（ＭｇＯ）系、ジルコニア（ＺｒＯ2 ）系、チタニア（ＴｉＯ2 ）系の外、二酸化ケイ素（ＳｉＯ2 ）系、酸化クロム（Ｃｒ2 Ｏ3 ）系、フェライト（ＦｅＯ2 ・Ｆｅ3 Ｏ4 ）系、スピネル（ＭｇＯ・Ａｌ2 Ｏ3 ）系、セリア（ＣｅＯ2 ）系、ベリリア（ＢｅＯ）系等が挙げられる。これらは２種以上組み合わせて用いられてもよい。あるいはこれらのセラミックの成分のうち複数種の成分を含むセラミックであってもよい。
【００２３】
セラミックは合成品であってもよい。天然鉱物であってもよい。天然鉱物としては蛇紋石、角閃石、トルマリン、水晶が例示される。なかでも角閃石が後述の効果のうえで好ましい。
【００２４】
炭素としては、備長炭などの木炭や炭素繊維が好適に用いられる。
【００２５】
また、本考案においては、遠赤外線を放射するセラミック、炭素から選択される物質を含む浸漬用物体に代えて磁石を用いても同様の効果が得られる。
【００２６】
これらの遠赤外線を放射する物質を水に入れると、水分子集合体（クラスター）を限りなく小さくする。また、この水は曝気されると大きな水泡を発生させることができる。
この大きな水泡は水面に出て破裂するときに微細水分子集合体等が勢いよく遠くまで達する。この微細水分子集合体等が空気中に浮遊する臭い分子や煙粒子を吸着して消滅させる。
【００２７】
また、本考案においては、遠赤外線を放射するセラミック、炭素から選択される物質を含む浸漬用物体に代えて磁石を用いても同様の効果が得られる。
【００２８】
また、曝気により容器中の水に対流が生じ、水が攪拌されて水と遠赤外線を放射する物質との接触機会を増大させることにより本考案における効果が促進される。
【００２９】
かかる構成により、本考案は、煙草臭、ペット臭、化粧品臭、衣服付着臭、下水臭、トイレ臭、ニンニク臭、焼き肉臭、油臭、汗臭、部屋臭を緩和する効果がある。また、タバコや焼き肉の煙の消煙にも有効である。
【００３０】
本考案に用いられる曝気手段としては、水中に空気を送り込んで水中に放出するものであれば特に限定されないが、例えば、魚類の飼育に用いられるような、エアポンプで空気を空気輸送パイプにその一端から送り込み、そのパイプの他端に取り付けられた１個あるいは多孔の散気体の微細連通孔から空気を水中に放出する態様のものが好ましい。
【００３１】
さらに、本考案においては、図３に示すように、容器２の開口に網目状の覆い１０を設けることにより、水の過度の飛散による容器２の周辺床や壁の水濡れを防止することができる。水面から空中に飛び出した微細水分子集合体等は覆い１０の網目を通過するが、一部が覆い１０に遮られて水の過度の飛散が防止される。
【００３２】
またさらに、図４に示すように、基台７０に載置される本考案の消臭、消煙装置１においては、上部が開口したコップ状の容器２ａに水４を入れて、水４の中に浸漬用物体６を入れ、水４を曝気手段８ａで曝気する。
【００３３】
容器２ａは載置台２０に載置される。載置台２０は椀を伏せた形状の基部２２と基部２２の上部に設けられ、一方の開口端を上向きにした筒部２４から構成される。筒部２４は内周面に中心に向けて突出するフランジ２６が形成されており、フランジ２６の上面に容器２ａが載置される。容器２ａの底部３０には貫通孔３２が形成され、貫通孔３２には空気を送るパイプ３４の先端部３６が挿入されている。貫通孔３２とパイプ３４の先端部３６との間の隙間は水漏れが防止のための筒状のパッキン３８が挿入されている。パイプ３４の元端はエアポンプ１６ａに接続され、エアポンプ１６ａからパイプ３４の先端部３６を経由して空気が容器２ａ中の水に送り込まれる容器２ａ中の水がエアポンプ１６ａに向けて流れないように、パイプ３４の経路には逆止弁４２が設置されている。浸漬用物体６が筒型のカートリッジ５０に入れられて水中に埋没している。エアポンプ１６ａから容器２ａ中の水に送り込まれた空気は泡５５となって筒型のカートリッジ５０の中心の中空部５２を貫通して上昇し水面で破裂し、これにより、水が霧状に空中に放散される。また、泡５５の上昇にともなって水中で対流が矢印の方向に生じ、この流れにより浸漬用物体６と水との接触が円滑になされる。容器２ａの開口部は、大きな水滴の飛散を防止するため、椀を伏せた形状の覆い１０ａで蓋をされている。覆い１０ａの壁面には網目状に多数の穴５８が形成されている。エアポンプ１６ａは、基部２２の内側空間６０内に収められている。
【００３４】
本考案において使用する水は水道水でよい。井戸水、純水なども使用可能である。図１、図２、図３に示す態様にあっては通常は連続稼働されるが水の交換は１か月に１回程度で十分である。空気が極端に汚れている場合は水の交換は１週間に１回程度となる。
【００３５】
本考案においては消耗品にあたるものはなく、たとえば市販の脱臭器のようなフィルタ交換などは不要である。従って、維持費は曝気手段を作動させる１日当たり数円ほどの電気代をのぞいてはほとんどかからない。また、曝気手段に魚飼育用のエアポンプを用いることができて高電圧を使用する必要がないので、電磁波障害のおそれもない。さらに、消臭、消煙剤などの化学薬品を使用していないので、過度の吸い込みを懸念する必要がなく、こぼして他所を汚染させたり幼児などのアプローチによる誤接触や誤飲などのおそれがない。
【符号の説明】
【００３６】
１：消臭、消煙装置
２：容器
４：水
６：浸漬用物体
８、８ａ：曝気手段
９：水面
１０、１０ａ：覆い
１２：散気体
１４：パイプ
１６、１６ａ：エアポンプ
【図１】
0003153954.tif 000003
【図２】
0003153954.tif 000004
【図３】
0003153954.tif 000005
【図４】
0003153954.tif 000006